(57)【要約】
【課題】  工具箱の引き出しのロック制御装置の提供。
【解決手段】  工具箱は箱体及びその内側に重ねて設けられた複数の引き出しで組成され、各引き出しの背板の中央両側に水平に斜圧塊と斜押圧塊が設けられ、引き出し背板の斜圧塊及び斜押圧塊に対応する部分に穿孔を具えた固定座が箱体内側中央に垂直に固定され、固定座内部に梃子セットにより上下に昇降する一組のスライドシートが設けられ、該スライドシートの固定座の穿孔に対応する部分に係止孔が設けられ、各引き出しがその背板中央両側に水平に設けられた斜圧塊と斜押圧塊が固定座の穿孔及びスライドシートの係止孔と対応させることにより、引き出しのロック操作を行ない、そのうちの引き出しの一つが引き出された後に、確実にその他の引き出しの引き出しを防止する。
【選択図】        図１
0003101029.tif 000002
【実用新案登録請求の範囲】
【請求項１】
箱体及びその内側に重ねて設けられた複数の引き出しで組成されて箱体の前上框部にロック装置が設けられた工具箱に使用される工具箱の引き出しのロック制御装置において、  斜圧塊５と斜押圧塊６、固定座７、一組のスライドシート８、８’、ロックバー９を具え、
該斜圧塊５と斜押圧塊６は、それぞれ引き出し３の背板３１の中央両側に設けられ、
該固定座７は、垂直に箱体内側中央に設けられ、その内部が中空状を呈し、その前端面にあって各引き出し３の背板３１中央両側の斜圧塊５と斜押圧塊６に対応する位置に、穿孔７１が設けられて、斜圧塊５と斜押圧塊６の挿入に供され、
該一組のスライドシート８、８’は、逆Ｕ形を呈して垂直に固定座７の内部に設けられ、その固定座７前端面の穿孔７１に対応する位置に、係止孔８１、８１’が設けられ、引き出し３の背板３１中央両側の斜圧塊５と斜押圧塊６がその間を通ることができ、並びにその両者間の上端、下端部分に梃子装置８２が接続されて、該スライドシート８、８’が上下昇降操作可能とされ、そのうち一方のスライドシート８に係止口８３が設けられ、
該ロックバー９は、その前端９１に偏心部が設けられて制御端とされて該ロック装置４中に挿入され、後端はスライドシート８の上部に設けられた係止口８３を貫通した後に可動式に箱体上部の固定片２１に通され、その前端９１の偏心部の押動により、スライドシート８が上昇或いは下降し、
以上が組み合わされた後、引き出し３のロック操作が行なえるほか、そのうち一つの引き出し３を引き出した後に、確実にその他の引き出し３が引き出されるのを防止できることを特徴とする、工具箱の引き出しのロック制御装置。
【考案の詳細な説明】
【技術分野】
【０００１】
本考案は工具箱の引き出しのロック制御装置に係り、特に内側に複数の引き出しが重ね設けられた工具箱において、引き出しの開放とロックに関するものである。
【背景技術】
【０００２】
工具箱は箱体とその内側に重ねられた複数の引き出しで構成され、各引き出しの両側にはスライドレールが設けられ、これが箱体内部両側の引き出しのスライドレールに対応する位置に設けられた箱体スライドレールと組み合わされることで、引き出しがスライド式に出し入れ可能とされている。この重ねて設置される引き出しはロック装置で制御され、ロック装置がアンロックされる時、各引き出しは自由に出し入れ操作できる。反対に全ての引き出しをロックするには、ロック装置をロックすればよく、これにより引き出しの引き出し操作が不能となる。
【０００３】
しかし、上述の工具箱内の引き出しは、それに収容される工具或いはその他の各種金属部品の重量が重いため、全ての引き出しが出し入れ自在とされる時に、そのなかの一つの引き出しを引き出す時に、上方と下方の引き出しが外に引っ張られる力を受けて同時に引き出されることがある。また、引き出しを閉じる時、引き出しの重量が重いためにそれを閉じる時の箱体への衝撃の反作用力により他の重量の比較的軽い引き出しが弾き出されることがあり、後部箱のいくつかの引き出しが引き出される時に、重心が改変して工具箱が倒れる危険があり、ゆえに改善が求められている。
【考案の開示】
【考案が解決しようとする課題】
【０００４】
本考案の主要な目的は一種の工具箱の引き出しのロック制御装置を提供することにあり、工具箱は箱体とその内側に重ねられた複数の引き出しで組成され、各引き出しの背板の中央両側に水平に斜圧塊と斜押圧塊が設けられ、引き出し背板の斜圧塊及び斜押圧塊に対応する部分に穿孔を具えた固定座が箱体内側中央に垂直に固定され、固定座内部に梃子セットにより上下に昇降する一組のスライドシートが設けられ、該スライドシートの固定座の穿孔に対応する部分に係止孔が設けられ、各引き出しがその背板中央両側に水平に設けられた斜圧塊と斜押圧塊が固定座の穿孔及びスライドシートの係止孔と対応させることにより、引き出しのロック操作を行ない、そのうちの引き出しの一つが引き出された後に、確実にその他の引き出しの引き出しを防止する。
【課題を解決するための手段】
【０００５】
請求項１の考案は、箱体及びその内側に重ねて設けられた複数の引き出しで組成されて箱体の前上框部にロック装置が設けられた工具箱に使用される工具箱の引き出しのロック制御装置において、
斜圧塊５と斜押圧塊６、固定座７、一組のスライドシート８、８’、ロックバー９を具え、
該斜圧塊５と斜押圧塊６は、それぞれ引き出し３の背板３１の中央両側に設けられ、
該固定座７は、垂直に箱体内側中央に設けられ、その内部が中空状を呈し、その前端面にあって各引き出し３の背板３１中央両側の斜圧塊５と斜押圧塊６に対応する位置に、穿孔７１が設けられて、斜圧塊５と斜押圧塊６の挿入に供され、
該一組のスライドシート８、８’は、逆Ｕ形を呈して垂直に固定座７の内部に設けられ、その固定座７前端面の穿孔７１に対応する位置に、係止孔８１、８１’が設けられ、引き出し３の背板３１中央両側の斜圧塊５と斜押圧塊６がその間を通ることができ、並びにその両者間の上端、下端部分に梃子装置８２が接続されて、該スライドシート８、８’が上下昇降操作可能とされ、そのうち一方のスライドシート８に係止口８３が設けられ、
該ロックバー９は、その前端９１に偏心部が設けられて制御端とされて該ロック装置４中に挿入され、後端はスライドシート８の上部に設けられた係止口８３を貫通した後に可動式に箱体上部の固定片２１に通され、その前端９１の偏心部の押動により、スライドシート８が上昇或いは下降し、
以上が組み合わされた後、引き出し３のロック操作が行なえるほか、そのうち一つの引き出し３を引き出した後に、確実にその他の引き出し３が引き出されるのを防止できることを特徴とする、工具箱の引き出しのロック制御装置としている。
【考案の効果】
【０００６】
本考案によると、工具箱は箱体及びその内側に重ねて設けられた複数の引き出しで組成され、各引き出しの背板の中央両側に水平に斜圧塊と斜押圧塊が設けられ、引き出し背板の斜圧塊及び斜押圧塊に対応する部分に穿孔を具えた固定座が箱体内側中央に垂直に固定され、固定座内部に梃子セットにより上下に昇降する一組のスライドシートが設けられ、該スライドシートの固定座の穿孔に対応する部分に係止孔が設けられ、各引き出しがその背板中央両側に水平に設けられた斜圧塊と斜押圧塊が固定座の穿孔及びスライドシートの係止孔と対応させることにより、引き出しのロック操作を行ない、そのうちの引き出しの一つが引き出された後に、確実にその他の引き出しの引き出し操作を防止する。
【考案を実施するための最良の形態】
【０００７】
図１及び図２に示されるように、本考案の工具箱は箱体及びその内側に重ねて設けられた複数の引き出し３で組成され、各引き出し３の両側と箱体の二側にはスライドレール構造（周知の技術であるため図示せず）が設けられて、順調に引き出し３を出し入れできる。箱体の前上框部にロック装置４が設けられている。本考案の引き出しのロック制御装置は斜圧塊５と斜押圧塊６、固定座７、一組のスライドシート８、８’、ロックバー９を具えている。
【０００８】
該斜圧塊５と斜押圧塊６は、それぞれ引き出し３の背板３１の中央両側に設けられている。
【０００９】
該固定座７は、垂直に箱体内側中央に設けられ、その内部が中空状を呈し、その前端面にあって各引き出し３の背板３１中央両側の斜圧塊５と斜押圧塊６に対応する位置に、穿孔７１が設けられて、斜圧塊５と斜押圧塊６の挿入に供される。
【００１０】
該一組のスライドシート８、８’は、逆Ｕ形を呈して垂直に固定座７の内部に設けられ、その固定座７前端面の穿孔７１に対応する位置に、係止孔８１、８１’が設けられ、引き出し３の背板３１中央両側の斜圧塊５と斜押圧塊６がその間を通ることができ、並びにその両者間の上端、下端部分に梃子装置８２が接続されて、該スライドシート８、８’が上下昇降操作可能とされ、そのうち一方のスライドシート８に係止口８３が設けられている。
【００１１】
該ロックバー９は、その前端９１に偏心部が設けられて制御端とされて該ロック装置４中に挿入され、後端はスライドシート８の上部に設けられた係止口８３を貫通した後に可動式に箱体上部の固定片２１に通され、その前端９１の偏心部の押動により、スライドシート８が上昇或いは下降する。
【００１２】
以上が組み合わされた後、図３、４及び図２３に示されるように、工具箱の箱体を不使用の時に全ての引き出し３をロックしたい時は鍵でロック装置をロックして、ロックバー９の前端９１の偏心部をスライドシート８上端の係止口８３に係止し、一組のスライドシート８、８’中のスライドシート８を引き上げ、梃子装置８２の作用により、もう一つのスライドシート８’を下降させ、層状に設置された各引き出し３の背板３１に設けられた斜押圧塊６を係止して位置決めし、各引き出し３を引き出し不能とする。
【００１３】
図５、６及び図２４に示されるように、引き出し３を使用するため鍵でロック装置４をアンロックする時、ロックバー９の前端９１の偏心部がスライドシート８上部に設けられた係止口８３を係止し、一組のスライドシート８、８’中のスライドシート８を下降させ、層状に設置された各引き出し３の背板３１に設けられた斜圧塊５上面を係止して位置決めし、並びに引き出し可能な予備状態となす（ロックバー９とロック装置４の接続及び回転方式は周知の技術であるため説明を省略する）。
【００１４】
図７、図８、図９、図１０に示されるように、ロック装置をアンロックした後、そのうち一つの引き出し３を開く時、手で引き出し３を引き出すと、引き出し３の背板３１に設けられた斜圧塊５の上面が傾斜設計とされたことと引き出し時の力により、スライドシート８、８’中のスライドシート８が上に押されて移動すると共に、その引き出し３を引き出すことができる。また、その他の各引き出し３は不動状態を呈し、スライドシート８が引き上げられると同時に、梃子装置８２の作用によりもう一つのスライドシート８’が下降し、その他の引き出し３の背板３１に設けられた斜押圧塊６が係止位置決めされ、その他の引き出し３の背板３１に設けられた斜押圧塊６が係止され、毎回一つの引き出し３を引き出す時にその他の引き出し３が誤って牽引されて引き出されるのを防止する。
【００１５】
図１１、図１２、図１３、図１４に示されるように、引き出しを開いた後に再度閉じたい時、引き出し３を箱体方向に押し込む時、引き出し３の背板３１に設けられた斜押圧塊６の上面が斜め上向きに外に傾斜する斜面６１設計とされたことと、閉じる時の力により、スライドシート８、８’中のスライドシート８’が上に押されて上昇し、その引き出し３を閉じることができる。同時に、その他の各引き出し３が不動の状態を呈するなかで、スライドシート８’が上昇すると同時に、梃子装置８２の作用によりもう一つのスライドシート８が下降し、その他の引き出し３の背板３１に設けられた斜押圧塊６の上面が押さえられ、こうして再度の引き出すための予備状態を呈する。
【００１６】
図１５、図１６、図１７、図１８に示されるように、別の引き出し３を開きたい時は、手で別の引き出し３を引き出す時、同様にもう一つの引き出し３の背板３１に設けられた斜圧塊５の上面が傾斜設計とされたことと引き出し時の力により、スライドシート８、８’中のスライドシート８が上に押されて移動すると共に、その引き出し３を引き出すことができる。また、その他の各引き出し３は不動状態を呈し、スライドシート８が引き上げられると同時に、梃子装置８２の作用によりもう一つのスライドシート８’が下降し、その他の引き出し３の背板３１に設けられた斜押圧塊６が係止位置決めされ、その他の引き出し３の背板３１に設けられた斜押圧塊６が係止され、毎回一つの引き出し３を引き出す時にその他の引き出し３が誤って牽引されて引き出されるのを防止する。
【００１７】
図１９、図２０、図２１、図２２に示されるように、別の引き出しを開いた後に再度閉じたい時、その引き出し３を箱体方向に押し込む時、引き出し３の背板３１に設けられた斜押圧塊６の上面が斜め上向きに外に傾斜する斜面６１設計とされたことと、閉じる時の力により、スライドシート８、８’中のスライドシート８’が上に押されて上昇し、その引き出し３を閉じることができる。同時に、その他の各引き出し３が不動の状態を呈するなかで、スライドシート８’が上昇すると同時に、梃子装置８２の作用によりもう一つのスライドシート８が下降し、その他の引き出し３の背板３１に設けられた斜押圧塊６の上面が押さえられ、こうして再度の引き出すための予備状態を呈する。
【００１８】
最後に、全ての引き出し３を押し込んで閉じた後、鍵を回してロック装置４でロックバー９を駆動して回転させ、その前端９１の偏心部によりスライドシート８、８’中のスライドシート８を引き上げ、梃子装置８２の作用によりもう一つのスライドシート８’を下降させ、各引き出し３の背板３１に設けられた斜押圧塊６を係止し、こうして各引き出し３を引き出せないようにして完全なロック状態とすることができ、鍵で開けなければ引き出し３を引き出すことができなくする。
【００１９】
以上の本考案は周知の同類の製品の欠点を解決し、その機能と長所は明らかであり、且つその出願前に頒布された刊行物にその構造の記載はなく、ゆえに新規性を有している。
【図面の簡単な説明】
【００２０】
【図１】本考案の分解斜視図である。
【図２】本考案の斜視図である。
【図３】本考案の構造の局部断面操作表示図である（斜圧塊部分）。
【図４】本考案の構造の局部断面操作表示図である（斜押圧塊部分）。
【図５】本考案の構造の局部断面操作表示図である（斜圧塊部分）。
【図６】本考案の構造の局部断面操作表示図である（斜押圧塊部分）。
【図７】本考案の構造の局部断面操作表示図である（斜圧塊部分）。
【図８】本考案の構造の局部断面操作表示図である（斜押圧塊部分）。
【図９】本考案の構造の局部断面操作表示図である（斜圧塊部分）。
【図１０】本考案の構造の局部断面操作表示図である（斜押圧塊部分）。
【図１１】本考案の構造の局部断面操作表示図である（斜圧塊部分）。
【図１２】本考案の構造の局部断面操作表示図である（斜押圧塊部分）。
【図１３】本考案の構造の局部断面操作表示図である（斜圧塊部分）。
【図１４】本考案の構造の局部断面操作表示図である（斜押圧塊部分）。
【図１５】本考案の構造の局部断面操作表示図である（斜圧塊部分）。
【図１６】本考案の構造の局部断面操作表示図である（斜押圧塊部分）。
【図１７】本考案の構造の局部断面操作表示図である（斜圧塊部分）。
【図１８】本考案の構造の局部断面操作表示図である（斜押圧塊部分）。
【図１９】本考案の構造の局部断面操作表示図である（斜圧塊部分）。
【図２０】本考案の構造の局部断面操作表示図である（斜押圧塊部分）。
【図２１】本考案の構造の局部断面操作表示図である（斜圧塊部分）。
【図２２】本考案の構造の局部断面操作表示図である（斜押圧塊部分）。
【図２３】本考案の構造の局部断面操作表示図である（上部の係止口がスライドシートを引き上げる時）。
【図２４】本考案の構造の局部断面操作表示図である（上部の係止口がスライドシートを押し下げる時）。
【符号の説明】
【００２１】
２１  固定片                ３  引き出し                ３１  背板
４  ロック装置              ５  斜圧塊                  ５１  斜面
６  斜押圧塊                ６１  斜面                  ７  固定座
７１  穿孔                  ８  スライドシート          ８’  スライドシート
８１  係止孔                ８１’  係止孔              ８２  梃子装置
９  ロックバー              ９１  前端
【図１】
0003101029.tif 000003
【図２】
0003101029.tif 000004
【図３】
0003101029.tif 000005
【図４】
0003101029.tif 000006
【図５】
0003101029.tif 000007
【図６】
0003101029.tif 000008
【図７】
0003101029.tif 000009
【図８】
0003101029.tif 000010
【図９】
0003101029.tif 000011
【図１０】
0003101029.tif 000012
【図１１】
0003101029.tif 000013
【図１２】
0003101029.tif 000014
【図１３】
0003101029.tif 000015
【図１４】
0003101029.tif 000016
【図１５】
0003101029.tif 000017
【図１６】
0003101029.tif 000018
【図１７】
0003101029.tif 000019
【図１８】
0003101029.tif 000020
【図１９】
0003101029.tif 000021
【図２０】
0003101029.tif 000022
【図２１】
0003101029.tif 000023
【図２２】
0003101029.tif 000024
【図２３】
0003101029.tif 000025
【図２４】
0003101029.tif 000026